(57)【要約】【課題】硬貨やメダル等の異物や、ジュース等の飲料が装置内に流下された場合も、支障なく遊技球の計数をすることができる遊技球計数装置を提供する。  【解決手段】遊技島1のカウンター５上に遊技球貯留用玉箱３０を載置する載置台２５を配し、その下方に遊技球貯留用玉箱３０から排出される遊技球を計数し、遊技島１内に環流する遊技球計数ユニット２７とを備え、載置台２５は遊技球貯留用玉箱３０の遊技球を下方に払い出す玉払出口４３を有し、遊技球計数ユニット２７は、そこから払い出される遊技球を受け入れる玉受入口４５を備えた筐体２９と、筐体２９内に設けられ玉受入口４５の直下に受入部５７ａを備えた玉通路部５７を有し、玉通路部５７は遊技球の計数手段１０と、受入部５７ａに続いて略横方向に延設された玉計数導入路５７ｂを有し、受入部５７ａは、遊技球を玉計数導入路５７ｂに導くスノコ状の底部を備えた遊技球計数装置。【選択図】      図１１
2010057703.tif 000002
【特許請求の範囲】
【請求項１】
遊技機が列設される遊技島のカウンター上に配置され、遊技球貯留用玉箱を載置する載置台と、前記載置台の下方に配設され、前記載置台に載置された前記遊技球貯留用玉箱から排出される遊技球を計数し、前記遊技島内に環流する遊技球計数ユニットとを備え、前記載置台は、前記遊技球貯留用玉箱から排出される遊技球を下方に払い出す玉払出口を有し、前記遊技球計数ユニットは、前記玉払出口から払い出される遊技球を受け入れる玉受入口を備えた筐体と、前記筐体内に設けられ、前記玉受入口の直下に受入部を備えた玉通路部を有し、前記玉通路部は、遊技球の計数手段を備え、前記受入部に続いて略横方向に延設された玉計数導入路を有し、前記受入部は、前記玉受入口から受け入れた遊技球を玉計数導入路に導くスノコ状の底部を備えたことを特徴とする遊技球計数装置。
【請求項２】
前記玉通路部は、前記筐体内に着脱自在に配設され、前記受入部を前記玉計数導入路から取外し可能に構成したことを特徴とする請求項１に記載の遊技球計数装置。
【発明の詳細な説明】
【技術分野】
【０００１】
本発明は、遊技球計数装置に係わり、特に遊技島のカウンター上に載置される遊技球貯留用玉箱から排出される遊技球を、受入口から受け入れ、計数手段が配備された導入通路を流下させることによりその数を計数して遊技島内に環流する遊技球計数装置に関する。
【背景技術】
【０００２】
従来のこの種の遊技球の計数装置としては、先に出願公開された特開２００７−２５２４０７号公報（特許文献１）に記載されるようなものが知られている。この特許文献1に記載される遊技球の計数装置は、複数の遊技機が列設された遊技島における遊技機の近傍に配設された遊技球貯留用の玉箱と、その玉箱から排出される遊技球を導入する遊技球流下ユニット（遊技球計数ユニット）を具備し、この遊技球流下ユニットは、玉箱から排出される遊技球を導入する遊技球導入口（受入口）と、そこに導入された遊技球が流下する流下通路を有し、その遊技球導入口の通路面積が、その下流の流下通路に同時に最大流下可能な遊技球の総列数に応じて、所定の範囲に規制されたものである。これによれば、遊技球が流下する通路に流入する遊技球の数を、遊技球導入口で規制することで、遊技球が流下する通路における遊技球の詰まりを抑制することができる計数装置を提供することができるというものである。
【特許文献１】特開２００７−２５２４０７号公報
【発明の開示】
【発明が解決しようとする課題】
【０００３】
ところで、特許文献１に記載される遊技球の計数装置においては、遊技島に列設される遊技機の下方に、前方に突き出し、その列設方向に延びたカウンターが設けられ、そのカウンター上には、各遊技機に対応して遊技球貯留用の玉箱と、その遊技球貯留用の玉箱を設置する玉箱設置台（載置台）が設置されている。また、カウンターの下方側には、遊技球貯留用の玉箱から排出される遊技球を計数する計数機を備えた遊技球流下ユニットが設置されている。そして、遊技球貯留用の玉箱には、その底部に遊技球を排出する開口が設けられ、玉箱設置台には、その遊技球貯留用の玉箱から排出される遊技球を遊技球流下ユニットに導くための開口部（玉払出口）が設けられ、遊技球流下ユニットには、玉箱設置台の開口部の下方に、遊技球を受け入れる遊技球導入口（玉受入口）が設けられている。
【０００４】
ここで、遊技球貯留用の玉箱から排出され、遊技球流下ユニットに受け入れられて計数される遊技球は、その途中で詰まることなく、効率的に遊技球流下ユニットに流下され計数されるように、遊技球貯留用の玉箱の開口と玉箱設置台の開口部、および遊技球流下ユニットの遊技球導入口は、それらが上下方向に連なって貫通するように適宜に配置されている。しかしながら、遊技球貯留用の玉箱に貯留される遊技球が、このように遊技球流下ユニットに流下されやすい構造であるため、この玉箱内の遊技球に硬貨やメダルあるいはゴミ等の異物が混入している場合は、これらの異物も遊技球流下ユニットに容易に入り込みやすい構造を有している。そのため、これらの異物が計数機を備えた遊技球流下ユニットの流下通路内に詰ったり、あるいはその通過により遊技球の計数ミス等の不具合が生じる問題があった。また、遊技客がコーヒーやジュース等の飲料を遊技球貯留用の玉箱内に零すと、その液体が直ぐに遊技球流下ユニットに流れ込むため、その清掃や修理に手間取る問題があった。
【０００５】
本発明は、このような問題に対応するため、遊技球貯留用の玉箱内に硬貨やメダル、ゴミ等の異物が混入している場合も、これらの異物を排除して遊技球を計数することができ、或は、コーヒーやジュース等の飲料が遊技球の流下通路内に零された場合にも、遊技球の計数にそれがなるべく支障がないような構造にし、また、異物や飲料等の液体が装置内に流下された場合にも、容易にそれらを取り除き、清掃することができる信頼性が高く、保守点検が容易な遊技球計数装置を提供することを目的とするものである。
【課題を解決するための手段】
【０００６】
上記課題を解決するため、請求項１に係る発明は、遊技機が列設される遊技島のカウンター上に配置され、遊技球貯留用玉箱を載置する載置台と、前記載置台の下方に配設され、前記載置台に載置された前記遊技球貯留用玉箱から排出される遊技球を計数し、前記遊技島内に環流する遊技球計数ユニットとを備え、前記載置台は、前記遊技球貯留用玉箱から排出される遊技球を下方に払い出す玉払出口を有し、前記遊技球計数ユニットは、前記玉払出口から払い出される遊技球を受け入れる玉受入口を備えた筐体と、前記筐体内に設けられ、前記玉受入口の直下に受入部を備えた玉通路部を有し、前記玉通路部は、遊技球の計数手段を備え、前記受入部に続いて略横方向に延設された玉計数導入路を有し、前記受入部は、前記玉受入口から受け入れた遊技球を玉計数導入路に導くスノコ状の底部を備えたものである。
【０００７】
これによれば、前記遊技球貯留用玉箱内に硬貨やメダル或はゴミ等の異物が混入している場合、これらの異物が遊技球とともに遊技球計数ユニットに流下すると、硬貨、メダル、ゴミ等の異物は、その玉通路部の受入部に設けられたスノコ状の底部を介してその下方に排出され、遊技球のみがその横方向に延設された玉計数導入路に導かれる。
また、請求項２に係る発明は、請求項１に記載の遊技球計数装置において、前記玉通路部は、前記筐体内に着脱自在に配設され、前記受入部を前記玉計数導入路から取外し可能に構成したものである。
【０００８】
これによれば、硬貨やメダル、ゴミ等の異物やコーヒーやジュース等の飲料が遊技球流下ユニット内に流下された場合にも、容易にそれらを取り除き、清掃することができる。
【発明の効果】
【０００９】
以上説明したように請求項１に係る発明によれば、遊技球貯留用玉箱内に硬貨やメダル或はゴミ等の異物が混入している場合、これらの異物が遊技球とともに遊技球計数ユニットに流下すると、硬貨、メダル、ゴミ等の異物は、その玉通路部の受入部に設けられたスノコ状の底部を介してその下方に排出され、遊技球のみがその横方向に延設された玉計数導入路に導かれるから、計数する遊技球に硬貨やメダル或はゴミ等の異物が混入している場合も、それらを排除して支障なく遊技球を計数することができる信頼性の高い遊技球計数装置を提供することができる。
【００１０】
また、請求項２に係る発明によれば、硬貨やメダル、ゴミ等の異物やコーヒーやジュース等の飲料が遊技球流下ユニット内に流下された場合にも、容易にそれらを取り除き、清掃することができるから、保守点検が容易な使い勝手の良い遊技球計数装置を提供することができる。
【発明を実施するための最良の形態】
【００１１】
本発明の実施の形態について図を参照して説明する。図１は本発明の実施形態の遊技球貯留計数装置を適用するもので、遊技場において複数並設された遊技機（パチンコ台）の間に遊戯球貸出機（台間玉貸機）が交互に配置されて形成されたいわゆる遊技島を模式的に示す正面図である。また、図２はこの遊技島の構成を示す概略側面図である。
図に示すようにこの遊技島１は、遊技機３および遊技球貸出機４等の周辺機器が、その両側に背中合わせに配置され、幅方向に複数台が列設されて遊技島１が構成されている。そして、この遊技島１の内部には、遊技機３や遊技球貸出機４に遊技球（パチンコ玉）を補給するための玉補給通路６や、遊技球を回収するための玉回収通路７が配設されている。玉補給通路６は遊技球を遊技島１の列設方向に搬送し、各遊技機３や遊技球貸出機４に供給するように構成され、また玉回収通路７は、各遊技機３やその下方の遊技島１に設けられる後述の遊技計数ユニット２７等から排出された遊技球を回収して一箇所に搬送するように構成されている。そして、玉回収通路７により一箇所に搬送された遊技球は、図示しない揚送手段により玉補給通路６に揚送され、遊技島１内を循環するように構成されている。
【００１２】
遊技球貸出機４は、その前面に硬貨投入口１２、操作部１３、遊技機３の上皿２１へ遊技球を案内する玉投出ノズル１５、カード挿入口１６、獲得した遊技球の量を表示するための点滅する玉積みランプ１７等が配置されている。また、操作部１３には、図示は省くが遊技球の投出を指示する投出ボタン、カード挿入口に挿入されたカードの返却を指示するカード返却ボタン、データ入力用テンキー等が設けられている。
【００１３】
遊技機３には、遊技球を投入する上皿２１と、この直下位置に賞球（獲得球）が払い出される下皿２２が設けられ、この下皿２２の側方に遊技用ハンドル２３が配設されている。そして、遊技機４の下方には、その列設方向に沿ってカウンター部（カウンター）５が手前側に張出して設けら、このカウンター部５には、遊技機３の下皿２２から排出される遊技球を受け入れて貯留する遊技球貯留用玉箱３０と、これを着脱自在に嵌合する玉箱装着台(載置台)２５が配設されている。さらに、この玉箱装着台２５が設けられるカウンター部５の下方には、遊技球貯留用玉箱３０内に貯留される遊技球を、計数して遊技島１内に返却する遊技球計数ユニット２７がカバー部材２８に覆われて備えられている。なお、遊技機３の下皿２２には玉抜き操作ボタン２４が設けられ、この玉抜き操作ボタン２４が操作されると、その下皿２２内に溜まった遊技球がその下方に排出され、下方に位置する遊技球貯留用玉箱３０に貯留される。
【００１４】
また、玉箱装着台２５には、シャターレバー２６が設けら、このシャッターレバー２６を操作することにより、遊技球貯留用玉箱３０内に貯留される遊技球が、玉箱装着台２５に設けられた後述の玉払出口４３を介して遊技球計数ユニット２７に流下され計数される。
図３は本発明の実施形態の遊技球貯留用玉箱３０を示す斜視図、図４は本発明の実施形態の遊技球貯留用玉箱３０を示す正面断面図である。図に示すように、この遊技球貯留用玉箱３０は、例えばポリカーボネート等の合成樹脂により一体成型され上面が開放された角箱状のもので、その上縁部３４は、全周が外側下方に向けて折返されて断面が逆Ｕ字状に形成されている。そして、その底面３１には一角部に玉排出口３５が下方に貫通して開口され、さらにその玉排出口３５はその上方がドーム状の被覆部３６により覆われ、その被覆部３６には、底面３１上を流下する遊技球を玉排出口３５に取り込むための取込口３７が開口されている。なお、ドーム状の被覆部３６の内壁には、取込口３７に隣接して除電用のアース板金４１が配設されている。
【００１５】
また底面３１は、そこに貯留される遊技球が被覆部３６に開口する取込口３７に向けて流下されるように、全体が取込口３７に向けて緩やかに傾斜するように形成されている。
また、この底面３１には、遊技球の径の約1／５程度の厚み（約２ｍｍ）のゴム板４０が貼付けられている。そして、このゴム板４０は、ドーム状の被覆部３６の取込口３７の周囲が切欠かれ、それにより、その底面３１上に貯留される遊技球を底面３１に沿って一列に並べ、取込口３７から散り広がる方向に案内する玉案内溝３８ａ、３８ｂ、３８ｃが、その底面３１上に複数箇所形成されている。
【００１６】
また底面３１下側には、玉排出口３５を開閉する玉箱シャッター３２がスライド自在に装着されている。この玉箱シャッター３２は、その下面側に後述の払出口シャッター４４の上面に設けられる係合凸部４４ａと係合する係合凹部３２ａが形成され、払出口シャッター４４の開閉動作に連動して、玉排出口３５を開閉するように構成されている。なお、玉箱シャッター３２は、コイルバネ５０により玉払出口３５を閉鎖する方向に常時付勢されている。
【００１７】
図５は、遊技球貯留用玉箱３０を装着、嵌合する本発明の実施形態の玉箱装着台２５を示す斜視図、図６はその正面断面図である。図に示すように玉箱装着台２５の上面には、その上に装着される遊技球貯留用玉箱３０を嵌め込む嵌合溝部２５ａが形成され、さらに遊技球貯留用玉箱３０の玉排出口３５に対向して、玉払出口４３が上下に貫通して開口されている。そして、玉払出口４３は、手前に把手２６ａを有し、支軸２６ｂを中心に回動するシャッターレバー２６と連動して左右にスライド自在に設けられた払出口シャター４４により開閉自在に構成されている。そして、この払出口シャッター４４の上面には、その上方に装着される遊技球貯留用玉箱３０の玉箱シャッター３２と係合する係合凸部４４ａが形成され、その下面には、その下方に装着される遊技球計数ユニット２７の受入口シャッター４６（図７参照）と係合する係合リブ部４４ｂが形成されている。また、シャターレバー２６は、これと連動する払出口シャッター４４が玉払出口４３を閉鎖する方向にコイルバネ４８により回動付勢されている。
【００１８】
また、玉箱装着台２５の下方には遊技球計数ユニット２７を取り付けるためのフック部５１ａ、５１ｂと電装用コネクタ５２が設けられている。
図７は本発明の実施形態の遊技球計数ユニット２７を示す斜視図、図８はその正面断面図、図９は遊技球計数ユニット２７の内部に着脱自在に配設される玉通路部５７を示す斜視図にである。図に示すように、この遊技球計数ユニット２７は、外郭を形成する筐体２９と、筐体２９の前面側を覆う保護側板４７等から構成されている。また、筐体２９の背面側（図７の裏面側）には、筐体２９内部を開放する図示しない側蓋が着脱自在に設けられている。
【００１９】
この筐体２９の上面には、遊技球貯留用玉箱３０から排出される遊技球を、玉箱装着台２５の玉払出口４３を介して受け入れる玉受入口４５が形成されている。そして、この玉受入口４５は、左右にスライド自在に設けられた受入口シャッター４６により開閉自在に構成されている。また、この受入口シャッター４６は、図８に示すようにコイルバネ４９により玉受入口４５を閉鎖する方向に付勢され、さらにソレノイド５４ａにより動作するロック機構５４により、この玉受入口４５を閉状態に保持することが可能に構成されている。また、この受入口シャッター４６の上面には、払出口シャッター４４の係合リブ部４４ｂと係合する係合リブ部４６ａが形成され、払出口シャッター４４の開閉動作に連動して、玉受入口４５を開閉するように構成されている。
【００２０】
また、筐体２９の上面には、玉箱装着台２５の下方に設けられるフック部５１ａ、５１ｂとそれぞれ係合して、遊技球計数ユニット２７を玉箱装着台２５の下方に装着するための係合穴部２９ａ、係合溝部２９ｂが設けられている。さらに、筐体２９の上面には、遊技球計数ユニット２７がこれらの係止手段により、玉箱装着台２５の下方に係止されるとき、その下方の電装用コネクタ５２と接続される電装コネクタ５３が設けられている。なお、筐体２９の係合穴部２９ａと対向する底部には、フック部５１ａが係合穴部２９ａに嵌め込まれたとき、これと係合して施錠する錠部５５が設けられている。
【００２１】
また、筐体２９の内部には、玉受入口４５から流下する遊技球を、その鉛直下方の受入部５７ａで受け入れて斜め横方向に流下する玉通路部５７（図９参照）が着脱自在に配置されている。この玉通路部５７は、その流下通路部（玉計数導入路）５７ｂに計数機（計数手段）１０が配され、通過する遊技球を計数した後その側端５７ｃから遊技島１内の玉回収通路７等に排出する。また、この玉通路部５７において玉受入口４５の直下に位置する受入部５７ａは、その側方に続いて略横方向に延設された流下通路部５７ｂと着脱可能に構成されている。
【００２２】
なお、玉通路部５７を筐体２９から取り外す場合は、遊技球計数ユニット２７が玉箱装着台２５の下方に装着された状態（図１１参照）において、先ず、筐体２９底部に位置する錠部５５に鍵を差し込み、この錠部５５と係合するフック部５１ａの施錠状態を解消する。そして、フック部５１ａを筐体２９の係合穴部２９ａから抜き出すとともに、他方側のフック部５１ｂを筐体２９の係合溝部２９ｂから引き抜き、さらに、電装コネクタ５３を玉箱装着台２５側の電装用コネクタ５３から引き抜いて、遊技球計数ユニット２７を玉箱装着台２５の下方から取り外す。そして、その筐体２９の側面側（背面側）に設けられる図示しない側蓋を取り外して内部を開放し、内部の玉通路部５７を取り出す。
【００２３】
図１０は、玉通路部５７の受入部５７ａを示す斜図である。図に示すように、この受入部５７ａの内部には、上方から受け入れた遊技球を一列並べて流下する玉通路５７ａａが２列併設されている。そして、このそれぞれの玉通路５７ａａの底部には、遊技球をその通路に沿って案内し、側方に続く流下通路部５７ｂに導く一条のリブ５７ａｂがその中央に設けられ、その両側に底部を貫通する隙間５７ａｃが設けられている。すなわち、この底部は、玉通路に沿って梁を透かせて並べたようなスノコ状に形成されている。なお、リブ５７ａｂは一条に限らず複数条設けても当然よい。また、この受入部５７ａの両側面には、流下通路部５７ｂに設けられた係合凸部５７ｄ、係合溝部５７ｅとそれぞれ係合する係合爪部５７ａｄ、係合リブ部５７ａｅが設けられている。これらの係合部は、合成樹脂等の弾性を有する部材から構成され、若干の弾性変形により、工具等を使用せずに容易に着脱自在に構成される。なお、受入部５７ａと流下通路部５７ｂを分離することによりその内部が容易に清掃可能である。
【００２４】
図１１は、遊技島１のカウンター部５に備えられた玉箱装着台２５に遊技球貯留用玉箱３０が装着された状態の本発明の遊技球計数装置２を示す正面断面図である。図に示すように、遊技球貯留用玉箱の内部に貯留される遊技球は、取込口３７に向かって緩やかに傾斜する底面３１に沿って流下し、この取込口３７を介して玉排出口３５に到達する。ここで、玉箱装着台２５に設けられるシャッターレバー２６が操作されると、これと連動する払出口シャッター４４が移動し、玉箱装着台２５の玉払出口４３が開口される。これと同時に、この払出口シャッター４４と連動する遊技球貯留用玉箱３０の玉箱シャッター３２が移動し、玉排出口３５が開放される。また、同様に払出口シャッター４４と連動して、遊技球計数ユニット２７の玉受入口４５を開閉する受入口シャッター４６が移動し、玉受入口４５が開放される。そうすると、遊技球貯留用玉箱３０内に貯留される遊技球が、玉排出口３５および玉箱装着台２５の玉払出口４３を介してその下方に配置される遊技球計数ユニット２７の玉受入口４５に受け入れられ、その内部の玉通路部５７に導かれる。ここで、遊技球に硬貨やメダル、ゴミ等の異物が混入している場合は、玉受入口４５の直下に位置する玉通路部５７の受入部５７ａにおいて、玉通路に沿ってその底部に設けられたリブ５７ａｂ両側の隙間５７ａｃから、これらの異物が下方に排出される。したがって、遊技球のみがその側方に続いて装着される流下通路部５７に案内される。そして、そこにる備えられた計数機１０によりその数が計数され、その結果が遊技客の獲得球として計上される。そして、この遊技球は、玉通路部５７の側端５７ｃから遊技島１の内部の玉回収通路７等に返却され、再利用される。
【００２５】
以上のように、本実施の形態の遊技球計数装置２によれば、遊技球貯留用玉箱３０内に硬貨やメダル或はゴミ等の異物が混入して遊技球が貯留されている場合、これらの異物が遊技球とともに遊技球計数ユニット２７に流下すると、硬貨、メダル、ゴミ等の異物は、その玉通路部５７の受入部５７ａに設けられたスノコ状の底部を介してその下方に排出され、遊技球のみがその横方向に延設され計数機１０が配置された流下通路部５７ｂに導かれるから、計数する遊技球に硬貨やメダル或はゴミ等の異物が混入している場合も、それらを排除して遊技球を精度よく計数することができる。すなわち、これにより信頼性の高い遊技球計数装置を提供することができる。
【００２６】
また、玉通路部５７は、遊技球計数ユニット２７の筐体２９内に着脱自在に配設され、その受入部５７ａを流下通路５７ｂから取外し可能に構成したものであるから、硬貨やメダル、ゴミ等の異物やコーヒーやジュース等の飲料が遊技球流下ユニット５７内に流下された場合にも、これらの構成部分を取り外すことにより、容易に異物や飲料等を取り除き清掃することができる。すなわち、これにより保守点検が容易な使い勝手の良い遊技球計数装置を提供することができる。
【００２７】
なお、本発明は、言うまでもなく本実施の形態に示す装置にのみ限定されず、その趣旨の包含する範囲で応用変更が可能である。例えば、玉通路部５７を構成する受入部５７ａの底部の形状等は、この実施形態の一条のリブ５７ａｂと隙間５７ａｃによる構成に限定されるものではない。また、受入部５７ａと流下通路部５７ｂの係合部は、流下通路部５７ｂに設けられた係合凸部５７ｄ、係合溝部５７ｅと、それに係合するように受入部５７ａに設けられた係合爪部５７ａｄ、係合リブ部５７ａｅの構成、形状等に限定されるものではない。
【図面の簡単な説明】
【００２８】
【図１】本発明の実施形態の遊技球貯留計数装置を適用するもので、遊技場において複数並設された遊技機の間に遊戯球貸出機が交互に配置されて形成されたいわゆる遊技島を模式的に示す正面図である。
【図２】本発明の実施形態の遊技球貯留用玉箱を適用するもので、遊技場において複数並設された遊技機の間に遊戯球貸出機が交互に配置されて形成された遊技島の構成を示す概略側面図である。
【図３】本発明の実施形態の遊技球貯留用玉箱を示す斜視図である。
【図４】本発明の実施形態の遊技球貯留用玉箱を示す正面断面図である。
【図５】本発明の実施形態の玉箱装着台を示す斜視図である。
【図６】本発明の実施形態の玉箱装着台を示す正面断面図である。
【図７】本発明の実施形態の遊技球計数ユニットを示す斜視図である。
【図８】本発明の実施形態の遊技球計数ユニットを示す正面断面図である。
【図９】本発明の実施形態の遊技球計数ユニット内に配設される玉通路部を示す斜視図である。
【図１０】本発明の実施形態の遊技球計数ユニット内に配設される玉通路部を構成する受入部を示す斜視図である。
【図１１】本発明の実施形態の遊技球計数装置を適用するもので、遊技島のカウンター部に備えられた玉箱装着台に遊技球貯留用玉箱が装着された状態を示す正面断面図である。
【符号の説明】
【００２９】
１  遊技島
２  遊技球計数装置  
３  遊技機
４  遊技球貸出機
５  カウンター部（カウンター）
１０  計数機（計数手段）
２５  玉箱装着台（載置台）
２７  遊技球計数ユニット
２９  筐体
３０  遊技球貯留用玉箱
４３  玉払出口
４５  玉受入口
５７  玉通路部
５７ａ  受入部
５７ａｄ  係合爪部
５７ａｅ  係合リブ部
５７ｂ  流下通路部（玉計数導入路）
５７ｄ  係合凸部
５７ｅ  係合溝部
【図１】
2010057703.tif 000003
【図２】
2010057703.tif 000004
【図３】
2010057703.tif 000005
【図４】
2010057703.tif 000006
【図５】
2010057703.tif 000007
【図６】
2010057703.tif 000008
【図７】
2010057703.tif 000009
【図８】
2010057703.tif 000010
【図９】
2010057703.tif 000011
【図１０】
2010057703.tif 000012
【図１１】
2010057703.tif 000013